(57)【要約】【課題】挿入及び排出時における円滑なカードの移動を阻害することなく、排出時におけるカードの飛び出しを効果的に防止すること。【解決手段】カード２を装着可能な装着空間を備えるハウジングと、カード２の挿入及び排出に伴ってカード２と一体的にカード２の挿入及び排出方向に移動可能なスライド部材５とを備える。スライド部材５は、カード２の挿入方向の前端部と対向する基部５３と、カード２の両側面と対向する基部５３から延出された一対の延出部５４ａ、５４ｂとを有する。これらの一対の延出部５４ａ、５４ｂの少なくとも一方が弾性を有し、一対の延出部５４ａ、５４ｂによりカード２が挟持される。【選択図】図７
2009224123.tif 000002
【特許請求の範囲】
【請求項１】
カードを装着可能な装着空間を備えるハウジングと、前記カードの挿入及び排出に伴って前記カードと一体的に前記カードの挿入及び排出方向に移動可能なスライド部材と、前記スライド部材を前記カードの排出方向に付勢する付勢手段と、前記付勢手段の付勢力に抗して前記スライド部材を所定の位置に保持するロック機構とを備え、
前記スライド部材は、前記カードの挿入方向の前端部と対向する基部と、前記カードの両側面と対向する前記基部から延出された一対の延出部とを有し、前記一対の延出部の少なくとも一方の延出部が弾性を有し、前記一対の延出部により前記カードを挟持することを特徴とするカード用コネクタ。
【請求項２】
前記他方の延出部も弾性を有することを特徴とする請求項１記載のカード用コネクタ。
【請求項３】
前記延出部の少なくとも一方に、前記カードと係合する突起部を設けたことを特徴とする請求項１又は請求項２記載のカード用コネクタ。
【請求項４】
前記弾性を有する一方の延出部の側方に前記ハウジングとの隙間を設けたことを特徴とする請求項１から請求項３のいずれかに記載のカード用コネクタ。
【請求項５】
前記他方の延出部の側方に前記ハウジングとの隙間を設けたことを特徴とする請求項２記載のカード用コネクタ。
【請求項６】
前記ハウジングと前記一方の延出部との隙間は、前記カードが挿入された状態ではほぼ無くなるように設定されていることを特徴とする請求項４記載のカード用コネクタ。
【請求項７】
前記ハウジングと前記他方の延出部との隙間は、前記カードが挿入された状態ではほぼ無くなるように設定されていることを特徴とする請求項５記載のカード用コネクタ。
【発明の詳細な説明】
【技術分野】
【０００１】
本発明は、カード用コネクタに関し、特に、装着されたカードの飛び出しを防止する機構を有するカード用コネクタに関する。
【背景技術】
【０００２】
従来、カード用コネクタにおいては、装着されたカードの不用意な飛び出しを防止する機能を有するものが知られている。例えば、挿入されたカードと共にスライド移動するコ字状のスライド部材を備え、このスライド部材の一部にカードの凹部と係合する突起を設けることでカードを保持するカード用コネクタが提案されている（例えば、特許文献１参照）。また、このカード用コネクタにおいては、金属カバーの一部にカードを押圧する押え片を形成し、この押え片によりカードをベースハウジングに押し付けてカードの飛び出しを軽減させている。
【特許文献１】特開２００５−２６０１６号公報
【発明の開示】
【発明が解決しようとする課題】
【０００３】
しかしながら、上述したような従来のカード用コネクタにおいては、カードの凹部に突起を係合させてカードを保持しているため、カードに凹部がない場合には、カードを保持することが困難であり、カードが排出時に飛び出してしまうという問題がある。また、押え片によりカードを押し付けるようにすると、カードの飛び出しは軽減できるものの、カードの挿入及び排出の移動の間において、ほぼ常時付勢力が働くこととなり、挿入及び排出時における円滑なカードの移動を阻害するという問題がある。
【０００４】
本発明はこのような問題点に鑑みてなされたものであり、挿入及び排出時における円滑なカードの移動を阻害することなく、排出時におけるカードの飛び出しを効果的に防止することができるカード用コネクタを提供することを目的とする。
【課題を解決するための手段】
【０００５】
本発明のカード用コネクタは、カードを装着可能な装着空間を備えるハウジングと、前記カードの挿入及び排出に伴って前記カードと一体的に前記カードの挿入及び排出方向に移動可能なスライド部材と、前記スライド部材を前記カードの排出方向に付勢する付勢手段と、前記付勢手段の付勢力に抗して前記スライド部材を所定の位置に保持するロック機構とを備え、前記スライド部材は、前記カードの挿入方向の前端部と対向する基部と、前記カードの両側面と対向する前記基部から延出された一対の延出部とを有し、前記一対の延出部の少なくとも一方の延出部が弾性を有し、前記一対の延出部により前記カードを挟持することを特徴とする。
【０００６】
上記カード用コネクタによれば、スライド部材の間に挿入されたカードはスライド部材の一対の延出部間で付勢力が加わった状態で保持されることから、排出時にカードが容易に飛び出すことを防止することが可能となる。また、スライド部材は、カードと一体的にされた状態においては、カードの移動を妨げるような付勢力が加わることがないため、挿入及び排出時におけるカードの円滑な移動を確保することが可能となる。
【０００７】
上記カード用コネクタにおいては、前記他方の延出部も弾性を有することが好ましい。この場合には、一対の延出部の双方によりカードの両側面を付勢することができるので、より確実にカードを保持することが可能となる。
【０００８】
また、上記カード用コネクタにおいては、前記延出部の少なくとも一方に、前記カードと係合する突起部を設けることが好ましい。この場合には、突起部を介してカードが押圧されることから、延出部の付勢力を突起部に集中させることができるので、より強くカードを保持することが可能となる。
【０００９】
さらに、上記カード用コネクタにおいては、前記弾性を有する一方の延出部の側方に前記ハウジングとの隙間を設けることが好ましい。この場合には、隙間を利用して一方の延出部を撓ませることができるので、カードの挿入及び排出を容易に行うことが可能となる。
【００１０】
さらに、上記カード用コネクタにおいては、前記他方の延出部の側方に前記ハウジングとの隙間を設けることが好ましい。この場合には、隙間を利用して他方の延出部を撓ませることができるので、カードの挿入及び排出を容易に行うことが可能となる。
【００１１】
特に、上記カード用コネクタにおいては、前記ハウジングと前記一方の延出部との隙間は、前記カードが挿入された状態ではほぼ無くなるように設定されていることが好ましい。この場合には、カードが挿入された状態で更に延出部が外側に拡がることがないので、安定してカードを保持することが可能となる。
【００１２】
また、上記カード用コネクタにおいては、前記ハウジングと前記他方の延出部との隙間は、前記カードが挿入された状態ではほぼ無くなるように設定されていることが好ましい。この場合には、カードが挿入された状態で更に延出部が外側に拡がることがないので、安定してカードを保持することが可能となる。
【発明の効果】
【００１３】
本発明によれば、スライド部材の間に挿入されたカードを、スライド部材の一対の延出部間で付勢力が加わった状態で保持するようにしたことから、排出時にカードが容易に飛び出すことを防止することが可能となる。また、スライド部材は、カードと一体的にされた状態においては、カードの移動を妨げるような付勢力が加わることがないため、挿入及び排出時におけるカードの円滑な移動を確保することが可能となる。
【発明を実施するための最良の形態】
【００１４】
以下、本発明の一実施の形態について添付図面を参照して詳細に説明する。なお、本実施の形態に係るカード用コネクタ（以下、単に「コネクタ」という）１は、小型化が進むカードの挿入及び排出時における円滑な移動を阻害することなく、排出時におけるカードの飛び出しを効果的に防止するものである。ここで、本実施の形態に係るコネクタ１の構成について説明する前に、コネクタ１に装着されるカードの一例について説明する。
【００１５】
図１は、本実施の形態に係るコネクタ１に装着されるカード２の一例を示す図である。図１（ａ）においてはカード２の上面図を示し、同図（ｂ）においてはカード２の側面図を示し、同図（ｃ）においてはカード２の下面図を示している。なお、図１においては、同図に示す上方側がカード２の挿入方向である。
【００１６】
図１（ａ）、（ｃ）に示すように、カード２は、挿入方向の前方側部分に細幅部２１が設けられ、挿入方向の後方側部分に太幅部２２が設けられている。細幅部２１の幅２１ａは、太幅部２２の幅２２ａよりも細く設定されている。図１（ａ）に示すカード２の右方側側面であって、細幅部２１と太幅部２２との間には、傾斜面２３が設けられている。この傾斜面２３よりも僅かに挿入方向の後方側に凹部２４が設けられている。図１（ｃ）に示すように、細幅部２１の下面には、後述するコンタクト端子と接触する複数の接触パッド２５が左右方向に並設されている。
【００１７】
図２及び図３は、それぞれ本実施の形態に係るコネクタ１の構成を示す斜視図及び上面図である。以下においては、適宜、図２及び図３に示す紙面上方側を「コネクタ１の前方側」又は単に「前方側」と呼び、同図に示す紙面下方側を「コネクタ１の後方側」又は単に「後方側」と呼ぶものとする。また、図２に示す紙面右方側を「コネクタ１の右方側」又は単に「右方側」と呼び、同図に示す紙面左方側を「コネクタ１の左方側」又は単に「左方側」と呼ぶものとする。
【００１８】
なお、図２においては、本実施の形態に係るコネクタ１の上面を構成するカバー部材を省略している。
【００１９】
図２に示すように、本実施の形態に係るコネクタ１は、合成樹脂材料などの絶縁材料を成型して形成されるケース３を備えている。ケース３は、概して偏平な直方体形状を有しており、その上方側及び前方側に開口した空間を有している。ケース３の上方側の開口部に不図示のカバー部材２を被せることにより、コネクタ１は、前方側にのみ開口した形状となり、この開口部でカード挿入口４が構成される。本実施の形態に係るコネクタ１においては、これらのケース３とカバー部材とによりハウジングが構成される。
【００２０】
図２及び図３に示すように、ケース３は、コネクタ１の底面部を構成するベース部３１と、コネクタ１の側端部にてベース部３１から上方側に垂直に立設された側壁部３２と、コネクタ１の前方側端部にてベース部３１から上方側に垂直に立設された奥壁部３３とを有している。これらのベース部３１と、側壁部３２及び奥壁部３３とにより、カード２が装着可能な空間（以下、「カード装着空間」という）が形成される。なお、ベース部３１には、詳細について後述するように、２種類のカードに対応するコンタクト端子が設けられている。
【００２１】
右方側の側壁部３２の後方側部分は、コネクタ１の内側に突出した形状を有しており、後述する係止部材６の一端を係止する係止穴３４が形成されている。この係止穴３４は、係止部材６の後方側の一端が上方側から差し込まれるように構成されている。また、側壁部３２の外側面には、不図示のカバー部材の開口部と係合する複数の係合片３５が設けられている。
【００２２】
奥壁部３３の内壁面であって、右方側端部の近傍には、不図示の付勢ばねの一端を係止する係止片３６が設けられている。係止片３６は、概して円柱形状を有しており、コネクタ１の後方側に一定長さだけ延出している。係止片３６により係止される付勢ばねは、付勢手段として機能するものであり、後述するスライド部材５をコネクタ１の後方側に付勢し、コネクタ１からカード２を排出する際の付勢力を担うものである。
【００２３】
ケース３内のカード装着空間には、カード２の挿入及び排出動作に伴ってコネクタ１の前後方向にスライド移動可能なスライド部材５が配設されている。スライド部材５は、四方の内の一方のみが開口を有する形状となっており、この開口部分でカード２を挟持可能に構成されている。スライド部材５には、その右方側に配置される部分に、挿入されたカード２の凹部２４と係合する板ばね５１が埋め込まれると共に、不図示の付勢ばねの付勢力に抗してスライド部材５の位置決めを行う係止部材６の前方側の一端が案内されるガイド溝５２が設けられている。さらに、スライド部材５の下方には、カードの挿入状態を検知する検知手段の一部を構成する可動接点ばね７が配設されている。なお、このスライド部材５の構成については後述する。
【００２４】
ここで、ケース３のベース部３１に設けられるコンタクト端子の近傍の構成について説明する。図４は、本実施の形態に係るコネクタ１のケース３に設けられるコンタクト端子の近傍の構成を説明するための上面図である。なお、図４においては、図３に示す状態のコネクタ１からスライド部材５及びその周辺の構成要素（係止部材６及び可動接点ばね７）を取り除いた場合について示している。
【００２５】
図４に示すように、ベース部３１には、その中央部分に開口部３７が形成されている。この開口部３７を規定するベース部３１の前方側端面にコネクタ１の左右方向に整列してカード２用のコンタクト端子８が設けられている。これらのコンタクト端子８は、基端部がベース部３１に固定される一方、先端部がコネクタ１の後方側であって僅かに上方側に延出し、一定範囲で上下方向に揺動可能となっている。また、コンタクト端子８の先端部は、下方側に折り曲げられており、その折曲部近傍でカード２の接触パッド２５と接触するように構成されている。なお、コンタクト端子８の前方側端部は、奥壁部３３の外壁面から前方側に導出されている。
【００２６】
また、コンタクト端子８に対応する位置に、コンタクト端子８を保護する保護板９が配設されている。この保護板９は、後方側端部に設けられた軸部でベース部３１に保持され、その前方側端部を一定範囲で揺動可能に設けられている。保護板９には、コネクタ１の左右方向に整列して複数のスリット９１が形成されている。コンタクト端子８の先端部は、これらのスリット９１を介して上方側に露出可能に構成されている。
【００２７】
なお、ベース部３１における前方側の右方側部分には、上述した可動接点ばね７と共にカード２の挿入状態を検知する検知手段の一部を構成する固定接点パターン１０が設けられている。本実施の形態に係るコネクタ１においては、カード２の挿入動作に伴ってスライド部材５の下面に取り付けられた可動接点ばね７がこの固定接点パターン１０上を摺動することで、カード２の挿入状態を検知可能に構成されている。
【００２８】
ここで、カード装着空間に配設されるスライド部材５の構成について説明する。図５は、本実施の形態に係るコネクタ１が有するスライド部材５の構成を説明するための上面図である。なお、図５に示すスライド部材５においては、説明の便宜上、その下面に取り付けられる可動接点ばね７を表示している。
【００２９】
スライド部材５は、例えば、絶縁性の樹脂材料を成型して形成される。スライド部材５は、カード２の挿入方向の前端部と対向する基部５３と、この基部５３から後方側に延出し、カード２の両側面と対向する一対の延出部５４ａ、５４ｂとを有している。スライド部材５は、これらの基部５３と、一対の延出部５４ａ、５４ｂとで四方の内の一方のみが開口した形状となっている。
【００３０】
また、一対の延出部５４ａ、５４ｂとの間の幅５４ｃは、カード２の細幅部２１の幅２１ａよりも僅かに狭幅に設定されている。また、左方側に配置される延出部５４ａは、弾性を有している。コネクタ１にカード２が挿入されると、延出部５４ａがカード２の細幅部２１の幅２１ａに応じて僅かに左方側に変形する。この変形と同時に弾性復帰力によりカード２の細幅部２１を付勢し、延出部５４ｂとの間でカード２を挟持するものとなっている。
【００３１】
なお、ガイド溝５２は、右方側の延出部５４ｂの右方側部分の上面に設けられている。ガイド溝５２の中央領域には、概してハート形状を有するハート形カム５２ａが設けられている。ガイド溝５２は、ハート形カム５２ａの右方側に配置される第１ガイド溝５２ｂ、左方側に配置される第２ガイド溝５２ｃ、並びに、第１及び第２ガイド溝５２ｂ、５２ｃに連結され、係止部材６の一端を係止する係止部を有する凹み溝５２ｄで構成される。
【００３２】
これらのガイド溝５２に、一端がケース３の係止穴３４に係止された係止部材６の他端が係止される（図２参照）。係止部材６は、このようなガイド溝５２をカード２の挿入動作に応じて一定方向に進むように構成されている。また、係止部材６が凹み溝５２ｄの係止部に係止された状態の場合にカード２がロック状態とされる。なお、このガイド溝５２における係止部材６の案内経路上には、所定位置に段差部が形成され、係止部材６の逆方向への進行を防止する。なお、このようなガイド溝５２及び係止部材６は、スライド部材５を所定の位置に保持するロック機構としての役割を果たす。
【００３３】
また、板ばね５１は、その基端部がガイド溝５２の上端部近傍に固定され、自由端部がコネクタ１の後方側に延出している。この自由端部の先端部近傍には、左方側に突出する突出部５１ａが設けられている。板ばね５１は、この突出部５１ａを挿入されたカード２の凹部２４と係合させ、ロック状態とされたカード２の下方側への移動を規制するように構成されている。
【００３４】
次に、本実施の形態に係るコネクタ１に対してカード２を装着する際の動作及びコネクタ１からカード２を排出する動作について説明する。図６及び図７は、本実施の形態に係るコネクタ１にカード２を装着する際の動作について説明するための図である。また、図８及び図９は、本実施の形態に係るコネクタ１からカード２を排出する動作について説明するための図である。
【００３５】
なお、カード２が挿入される前の状態においては、図３に示すように、スライド部材５の延出部５４ａは、ケース３の左方側の側壁部３２の近傍の位置に配置されている。また、延出部５４ａと側壁部３２との間には僅かに隙間が設けられている。このように隙間を設けたのは、カード２の挿入及び排出に伴って延出部５４ａが撓むのを許容し、カード２の容易な挿入及び排出を確保するためである。
【００３６】
図６は、本実施の形態に係るコネクタ１にカード２を挿入した状態の上面図である。図６に示すように、コネクタ１に対してカード２を挿入する際、カード２は、その細幅部２１の前端部がスライド部材５の一対の延出部５４ａ、５４ｂの間に押し込まれる。このとき、左方側の延出部５４ａは、細幅部２１の幅２１ａに応じてケース３の左方側の側壁部３２側に僅かに撓む。
【００３７】
この状態から更にカード２を前方側に押し込むと、一対の延出部５４ａ、５４ｂの間を細幅部２１が進む。この際、細幅部２１は、延出部５４ａを撓ませながら進むことから、その弾性復帰力によりカード２の側面に付勢力が加わった状態となり、一対の延出部５４ａ、５４ｂでカード２が挟持されることとなる。
【００３８】
なお、本実施の形態に係るコネクタ１においては、このようにカード２を挿入された状態においては、図７に示すように、延出部５４ａが左方側の側壁部３２側に撓み、当該側壁部３２との間の隙間がほぼ無くなるように設定されている。このように延出部５４ａと側壁部３２との隙間を設定しておくことにより、カード２が挿入された状態で更に延出部５４ａが外側に拡がることがないので、安定してカード２を保持できるようになっている。
【００３９】
そして、細幅部２１の前方側端部がスライド部材５の基部５３まで到達する過程で板ばね５１の突出部５１ａがカード２の凹部２４と係合し、カード２の後方側への移動が規制される。細幅部２１の前方側端部がスライド部材５の基部５３まで到達すると、カード２と一緒にスライド部材５も前方側に押し込まれる。このスライド部材５の移動に伴って係止部材６の前方側の一端がガイド溝５２の第１ガイド溝５２ｂを移動する。
【００４０】
そして、カード２を押し込む手を解放すると、付勢ばねの付勢力によりスライド部材５が僅かに後方側に押し戻される。このとき、図７に示すように、係止部材６の前方側の一端が凹み溝５２ｄの係止部に係止された状態となり、カード２がロック状態とされる。図７に示すように、カード２がロックされている場合には、係止部材６の前方側の一端が凹み溝５２ｄの係止部に係止されることにより、スライド部材５の後方側への移動が規制されている。
【００４１】
図７に示す状態からカード２を抜き取る場合には、カード２を更に前方側に押し込む。これにより、スライド部材５が僅かに前方側に移動することで、係止部材６の前方側の一端が凹み溝５２ｄの係止部から排出され、図８に示すように、第２ガイド溝５２ｃの後方側端部に移動する。このとき、カード２が更に押し込まれることで、スライド部材５の前方側端部が奥壁部３３の近傍まで移動している。
【００４２】
そして、図８に示す状態からカード２を押し込む手を解放すると、付勢ばねの付勢力に応じてスライド部材５が後方側に押し出され、図９に示す状態に戻る。この状態からカード２の後方側端部をユーザが把持してコネクタ１の後方側に引っ張ると、板ばね５１の突出部５１ａと凹部２４との係合が解除されると共に、一対の延出部５４ａ、５４ｂから解放され、カード２をコネクタ１から抜き取ることが可能となる。
【００４３】
このように本実施の形態に係るコネクタ１によれば、スライド部材５の間に挿入されたカード２は、スライド部材５の一対の延出部５４ａ、５４ｂ間で付勢力が加わった状態で保持されることから、排出時にカード２が容易に飛び出すことを防止することが可能となる。また、スライド部材５は、カード２と一体的にされた状態においては、カード２の移動を妨げるような付勢力が加わることがないため、挿入及び排出時におけるカード２の円滑な移動を確保することが可能となる。
【００４４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４５】
上記実施の形態においては、スライド部材５における一対の延出部５４ａ、５４ｂとの間の幅５４ｃを、カード２の細幅部２１の幅２１ａよりも僅かに狭幅に設定すると共に、左方側に配置される延出部５４ａのみが弾性を有している。しかしながら、スライド部材５の一対の延出部５４ａ、５４ｂの構成については、これに限定されるものでなく適宜変更が可能である。
【００４６】
例えば、図１０に示すように、一対の延出部５４ａ、５４ｂの双方が弾性を有するようにしても良い。なお、スライド部材５における一対の延出部５４ａ、５４ｂとの間の幅５４ｃについては同様の設定とされる。このように一対の延出部５４ａ、５４ｂの双方が弾性を有する場合には、カード２が挿入された場合に延出部５４ａ、５４ｂの双方の弾性復帰力によりカード２の側面が付勢されることから、より確実にカード２を保持することができるので、コネクタ１からカード２が飛び出すのを効果的に防止することが可能となる。
【００４７】
なお、このように一方の延出部５４ａだけでなく、他方の延出部５４ｂの双方が弾性を有する場合には、延出部５４ａと同様に、ケース３（左方側の側壁部３２）との間に隙間を設けることが好ましい。この場合には、カード２の挿入及び排出に伴って延出部５４ｂが撓むのを許容することができるので、カード２の容易な挿入及び排出を確保することが可能となる。また、図１０の態様とは異なるが、延出部５４ｂを右方側の側壁部３２の近傍に配置する場合には、カード２が挿入された状態において、右方側の側壁部３２との間の隙間がほぼ無くなることが好ましい。この場合には、カード２が挿入された状態で更に延出部５４ｂが外側に拡がることがないので、安定してカード２を保持することが可能となる。
【００４８】
また、図１１に示すように、左方側に配置される延出部５４ａにカード２の側面と係合する突起部５４ｄを設けても良い。なお、スライド部材５における一対の延出部５４ａ、５４ｂとの間の幅５４ｃについては同様の設定とされる。このように左方側に配置される延出部５４ａにカード２の側面と係合する突起部５４ｄを設ける場合には、カード２が挿入された場合に延出部５４ａの弾性復帰力に基づく押圧力が突起部５４ｄを介してカード２の側面が加えられることから、延出部５４ａの付勢力を突起部５４ｄに集中させることができるので、より強くカード２を保持することができ、コネクタ１からカード２が飛び出すのを効果的に防止することが可能となる。なお、ここでは、延出部５４ａにのみに突起部５４ｄを設けた場合について示しているが、延出部５４ｂにのみに、或いは、延出部５４ａ、５４ｂの双方に突起部５４ｄを設けるようにしても良い。
【図面の簡単な説明】
【００４９】
【図１】本実施の形態に係るコネクタに装着されるカードの一例を示す図である。
【図２】上記本実施の形態に係るコネクタの構成を示す斜視図である。
【図３】上記本実施の形態に係るコネクタの構成を示す上面図である。
【図４】上記実施の形態に係るコネクタのケースに設けられるコンタクト端子の近傍の構成を説明するための上面図である。
【図５】上記実施の形態に係るコネクタが有するスライド部材の構成を説明するための上面図である。
【図６】上記実施の形態に係るコネクタにカードを装着する際の動作について説明するための図である。
【図７】上記実施の形態に係るコネクタにカードを装着する際の動作について説明するための図である。
【図８】上記実施の形態に係るコネクタからカードを排出する動作について説明するための図である。
【図９】上記実施の形態に係るコネクタからカードを排出する動作について説明するための図である。
【図１０】上記実施の形態に係るコネクタが有するスライド部材の変形例の構成を説明するための上面図である。
【図１１】上記実施の形態に係るコネクタが有するスライド部材の変形例の構成を説明するための上面図である。
【符号の説明】
【００５０】
１  カード用コネクタ（コネクタ）
２  カード
２１  細幅部
２２  太幅部
２３  傾斜面
２４  凹部
２５  接触パッド
３  ケース
３１  ベース部
３２  側壁部
３３  奥壁部
３４  係止穴
３５  係合片
３６  係止片
３７  開口部
４  カード挿入口
５  スライド部材
５１  板ばね
５１ａ  突出部
５２  ガイド溝
５２ａ  ハート形カム
５２ｂ  第１ガイド溝
５２ｃ  第２ガイド溝
５２ｄ  凹み溝
５３  基部
５４ａ、５４ｂ  延出部
５４ｄ  突起部
６  係止部材
７  可動接点ばね
８  コンタクト端子
９  保護板
９１  スリット
１０  固定接点パターン
【図１】
2009224123.tif 000003
【図２】
2009224123.tif 000004
【図３】
2009224123.tif 000005
【図４】
2009224123.tif 000006
【図５】
2009224123.tif 000007
【図６】
2009224123.tif 000008
【図７】
2009224123.tif 000009
【図８】
2009224123.tif 000010
【図９】
2009224123.tif 000011
【図１０】
2009224123.tif 000012
【図１１】
2009224123.tif 000013